(57)【要約】      （修正有）【課題】上枠に直接固定することなく、引戸の停止位置を容易に可変調整することができるソフトクローズ装置及びソフトクローズ装置を備えた引戸を提供する。【解決手段】上枠に固着したレールに沿って開閉可能な上吊式の引戸のソフトクローズ装置は、少なくとも１つの貫通穴を有すると共に、レールに取り付けられた際に下方向に突出する突起部を有するトリガー部材と、レールと上枠との間に配置され、トリガー部材に当接して動作し移動速度を低減させ、所定の距離を走行した後に停止するように構成されたソフトクローズ機構部とを備えている。レールにはその長手方向に伸長する所定長さの長穴が設けられ、少なくとも１つの固定ネジは、トリガー部材の少なくとも１つの貫通穴及びレールの長穴を順次挿通して板ナット部材の少なくとも１つのネジ穴に螺着することでトリガー部材を所定位置に固定するように構成されている。【選択図】図１
2017115418.tif 000002
【特許請求の範囲】
【請求項１】
上枠に固着したレールに沿って開閉可能な上吊式の引戸のソフトクローズ装置であって、
少なくとも１つの貫通穴を有すると共に、前記レールに取り付けられた際に下方向に突出する突起部を有するトリガー部材と、
前記レールと前記上枠との間に配置され、少なくとも１つのネジ穴を有する板ナット部材と、
前記トリガー部材を固定するための少なくとも１つの固定ネジと、
前記引戸の上端に設けられ、前記レールに沿って走行する際に前記トリガー部材に当接して動作し移動速度を低減させ、所定の距離を走行した後に停止するように構成されたソフトクローズ機構部と
を備え、
前記レールにはその長手方向に伸長する所定長さの長穴が設けられ、前記少なくとも１つの固定ネジは、前記トリガー部材の前記少なくとも１つの貫通穴及び前記レールの前記長穴を順次挿通して前記板ナット部材の前記少なくとも１つのネジ穴に螺着することで前記トリガー部材を所定位置に固定するように構成されていることを特徴とするソフトクローズ装置。
【請求項２】
前記トリガー部材は、前記少なくとも１つの固定ネジが前記板ナット部材の前記少なくとも１つのネジ穴に螺入した状態で前記長穴に沿ってスライド可能に構成されていることを特徴とする請求項１に記載のソフトクローズ装置。
【請求項３】
前記板ナット部材は、前記長穴を塞ぐことが可能な長さを有しており、前記少なくとも１つの固定ネジによる固定前は前記レールに沿ってスライド可能に構成されていることを特徴とする請求項１又は２に記載のソフトクローズ装置。
【請求項４】
前記トリガー部材の少なくとも１つの貫通穴が複数の貫通穴であり、前記板ナット部材の少なくとも１つのネジ穴が複数のネジ穴であり、前記少なくとも１つの固定ネジが複数の固定ネジであり、前記複数の固定ネジは、前記トリガー部材の前記複数の貫通穴及び前記レールの前記長穴を順次挿通して前記板ナット部材の前記複数のネジ穴にそれぞれ螺着することで前記トリガー部材を所定位置に固定するように構成されていることを特徴とする請求項１から３のいずれか１項に記載のソフトクローズ装置。
【請求項５】
請求項１から４のいずれか１項に記載のソフトクローズ装置が装着された上吊式の引戸であって、該引戸の戸先若しくは戸尻、又は戸先側の側枠若しくは戸尻側の側枠に装着された戸当たりパッキンを備えており、前記ソフトクローズ装置の前記トリガー部材は、前記戸当たりパッキンの前記戸先若しくは前記戸尻、又は前記戸先側の側枠若しくは前記戸尻側の側枠からの突出量に応じた距離だけ移動して固定されていることを特徴とする引戸。
【発明の詳細な説明】
【技術分野】
【０００１】
本発明は、上吊式の引戸が移動する際に、引戸が戸枠に強く衝突するのを回避することができると共に、必要に応じて引戸の停止位置を調整することができるソフトクローズ装置及びソフトクローズ装置を備えた引戸に関する。
【背景技術】
【０００２】
建物の出入り口の上枠に設けたレールに沿って開閉する上吊式の引戸には、引戸本体が戸枠や戸当たりに衝突することによる衝撃や騒音を緩和するためのソフトクローズ装置を備えたものがある（例えば、特許文献１及び特許文献２）。
【０００３】
このような引戸用のソフトクローズ装置では、引戸本体の上端にトリガーカムを有するソフトクローズ機構部が設けられ、レール側の所定位置にトリガー部材が設けられている。開閉時に、引戸がトリガー部材に当接することによってソフトクローズ装置が動作する。これにより、引戸は、その移動速度が低減され、所定の距離を走行した後に停止する。
【先行技術文献】
【特許文献】
【０００４】
【特許文献１】特開２０１３−１２４５２４号公報
【特許文献２】特許第５４９５９０７号公報
【発明の概要】
【発明が解決しようとする課題】
【０００５】
しかしながら、このような従来の引戸用のソフトクローズ装置は、設置する際に、トリガー部材をレール側の所定位置に固定するように構成されているため、引戸の停止位置を変更した場合に不都合が生じていた。例えば、設置場所の状況及び上部レールのトリガー部材設置穴の加工精度により引戸が閉じきらず戸枠との間に隙間ができた場合、仕様変更や施主の要請により戸当たりパッキンを付設した場合（図４参照）、及び／又は子供の手挟み防止等の安全確保するために引戸が少し開いた状態で停止するように施工した場合に、ソフトクローズ機構部がレール側のトリガー部材に当接し係合することができなくなるおそれがあり、その場合、ソフトクローズ装置が機能しなくなる可能性があった。
【０００６】
図４は引戸の戸先に戸当たりパッキンが（ａ）無い場合及び（ｂ）有る場合を示している。同図において、Ｐは引戸、Ｗは戸先側の側枠、Ｙは戸当たりパッキン、Ｄは戸当たりパッキンＹによる引戸Ｐの停止位置の変動量をそれぞれ示している。戸当たりパッキンＹが装着されることで、引戸Ｐの停止位置が戸当たりパッキンＹの突出量Ｄだけ変動するため、ソフトクローズ装置を正常に機能させるためには、トリガー部材の位置をこの変動量に見合う分だけ移動させることが必要となる。
【０００７】
しかしながら、従来の引戸用のソフトクローズ装置では、レールの所定位置に予め開けられた取り付け穴に木ネジを挿通させて、レール及びトリガー部材を戸枠に固定しているため、トリガー部材の取り付け位置を移動するためには、レールの異なる取り付け穴（既存又は新たな取り付け穴）を使用してネジ止めしなくてはならない。そのためには、まず、取り付け用木ネジを外してレール及びトリガー部材を戸枠から取り外し、レールの他の取り付け穴又はレールに新たな穴を空けて、レール及びトリガー部材を戸枠に再度木ネジ固定する必要がある。これは、非常に手間がかかると共に、作業も困難であった。さらに、木材からなる戸枠（上枠）に固定用の木ネジを着脱すると、木部が劣化し、木ネジが効かなくなってしまう。
【０００８】
従って、本発明の目的は、上枠に直接固定することなく、引戸の停止位置を容易に可変調整することができるソフトクローズ装置及びソフトクローズ装置を備えた引戸を提供することにある。
【課題を解決するための手段】
【０００９】
本発明によれば、上枠に固着したレールに沿って開閉可能な上吊式の引戸のソフトクローズ装置は、少なくとも１つの貫通穴を有すると共に、レールに取り付けられた際に下方向に突出する突起部を有するトリガー部材と、レールと上枠との間に配置され、少なくとも１つのネジ穴を有する板ナット部材と、トリガー部材を固定するための少なくとも１つの固定ネジと、引戸の上端に設けられ、レールに沿って走行する際にトリガー部材に当接して動作し移動速度を低減させ、所定の距離を走行した後に停止するように構成されたソフトクローズ機構部とを備えている。レールにはその長手方向に伸長する所定長さの長穴が設けられ、少なくとも１つの固定ネジは、トリガー部材の少なくとも１つの貫通穴及びレールの長穴を順次挿通して板ナット部材の少なくとも１つのネジ穴に螺着することでトリガー部材を所定位置に固定するように構成されている。
【００１０】
レールにはその長手方向に伸長する所定長さの長穴が設けられ、少なくとも１つの固定ネジは、トリガー部材の少なくとも１つの貫通穴及びレールの長穴を順次挿通して板ナット部材の少なくとも１つのネジ穴に螺着することでトリガー部材を所定位置に固定するように構成されていることにより、引戸の停止位置を調整するためにトリガー部材の取り付け位置を移動する際に、レールに取り付け穴を新たに加工すること無しに、固定ネジを緩めるのみでトリガー部材の位置を移動することが可能であり、引戸の停止位置を容易に可変調整することができる。また、戸枠に直接固定しない構造であるため、木部が木ネジ等で劣化することがない。
【００１１】
トリガー部材は、少なくとも１つの固定ネジが板ナット部材の少なくとも１つのネジ穴に螺入した状態で長穴に沿ってスライド可能に構成されていることが好ましい。これにより、固定ネジを外して再螺入する必要がなく、簡単な操作で引戸の停止位置を調整することができる。
【００１２】
板ナット部材は、長穴を塞ぐことが可能な長さを有しており、少なくとも１つの固定ネジによる固定前はレールに沿ってスライド可能に構成されていることも好ましい。これにより、引戸の停止位置をレールに沿って調整することができる。また、長穴を介して上枠が見えないので、見栄えがよく、デザイン性を向上することができる。
【００１３】
トリガー部材の少なくとも１つの貫通穴が複数の貫通穴であり、板ナット部材の少なくとも１つのネジ穴が複数のネジ穴であり、少なくとも１つの固定ネジが複数の固定ネジであり、複数の固定ネジは、トリガー部材の複数の貫通穴及びレールの長穴を順次挿通して板ナット部材の複数のネジ穴にそれぞれ螺着することでトリガー部材を所定位置に固定するように構成されていることも好ましい。
【００１４】
本発明によれば、さらに、上述したソフトクローズ装置が装着された上吊式の引戸は、この引戸の戸先若しくは戸尻、又は戸先側の側枠若しくは戸尻側の側枠に装着された戸当たりパッキンを備えており、ソフトクローズ装置のトリガー部材は、戸当たりパッキンの戸先若しくは戸尻、又は戸先側の側枠若しくは戸尻側の側枠からの突出量に応じた距離だけ移動して固定されている。
【発明の効果】
【００１５】
本発明のソフトクローズ装置によれば、引戸の停止位置を調整するためにトリガー部材の取り付け位置を移動する際に、レールに取り付け穴を新たに加工すること無しに、固定ネジを緩めるのみでトリガー部材の位置を移動することが可能であり、引戸の停止位置を容易に可変調整することができる。また、戸枠に直接固定しない構造であるため、木部が木ネジ等で劣化することがない。
【図面の簡単な説明】
【００１６】
【図１】本発明の一実施形態に係るソフトクローズ装置の構成を概略的に示す分解斜視図である。
【図２】図１のソフトクローズ装置の構成及び使用状態を概略的に示す一部断面図である。
【図３】図１のソフトクローズ装置のトリガー部材の移動状態を示す断面図である。
【図４】引戸の戸先に戸当たりパッキンが無しの場合、及び有りの場合をそれぞれ示す断面図である。
【発明を実施するための形態】
【００１７】
以下、本発明に係るソフトクローズ装置及びこのソフトクローズ装置を備えた引戸の実施形態を、図を参照して説明する。
【００１８】
図１は本発明の一実施形態に係るソフトクローズ装置１００の全体の構成を示しており、図２はソフトクローズ装置１００の構成及び使用状態を一部断面で示しており、図３はソフトクローズ装置１００のトリガー部材１０の位置移動を示している。
【００１９】
図１〜図３に示すように、本実施形態に係るソフトクローズ装置１００は、建物の出入り口等の上枠に固着したレールＲに沿って開閉可能な上吊式の引戸Ｐのソフトクローズ装置である。このレールＲにはその長手方向に沿って伸長する所定長さの長穴Ｌが設けられている。このソフトクローズ装置１００は、２つの貫通穴１３を有すると共に、レールＲに取り付けられた際に下方向に突出する突起部１１を有するトリガー部材１０と、レールＲと上枠との間に配置され、２つのネジ穴２１を有する板ナット部材２０と、トリガー部材１０を固定するための２つの固定ネジ３０と、引戸Ｐの上端に設けられ、レールＲに沿って走行する際にトリガー部材１０に当接して動作し移動速度を低減させ、所定の距離を走行した後に停止するように構成されたソフトクローズ機構部４０とを備えている。
【００２０】
トリガー部材１０は、例えば、金属板材から板金加工にて形成されたものである。このトリガー部材１０は、中央部に突起部１１が形成され、突起部１１の両側の取り付け部１２に２つの貫通穴１３がそれぞれ設けられ、片方の端部に誤作動修正部１４が設けられている。また、トリガー部材１０は、突起部１１が下向きに突出するようにレールＲ内に取り付けられる。突起部１１は、引戸Ｐの上端に設けられたソフトクローズ機構部４０に当接して係止することができるように構成されている。
【００２１】
板ナット部材２０は、例えば、金属板材から形成され、トリガー部材１０の２つの貫通穴１３に対応する位置に２つのネジ穴２１がそれぞれ設けられている。この板ナット部材２０は、レールＲの長穴Ｌを塞ぐことが可能な長さを有しており、レールＲ及びこの板ナット部材２０が上枠に装着された際に、長穴Ｌを塞ぎ、これを介して上枠を見えないように構成されている。
【００２２】
固定ネジ３０は、トリガー部材１０を固定するための２つの皿ネジである。これら２つの固定ネジ３０は、トリガー部材１０の２つの貫通穴１３及びレールＲの長穴Ｌを順次挿通して板ナット部材２０の２つのネジ穴２１にそれぞれ螺入し締め付けることでトリガー部材１０をレールＲの所定位置に固定できるように構成されている。
【００２３】
ソフトクローズ機構部４０は、走行ローラ４１を有するランナ４２と、ランナ４２より下方に突出し引戸Ｐに固定される装着部４３と、引戸Ｐが側枠Ｗに当接するまでの間、トリガー部材１０に当接して係止することで制動力を発生する制動部４４とを含んで構成されている。ランナ４２は、ランナ本体に複数の走行ローラ４１を装着することによって構成されている。このランナ４２は、下側に開口した略Ｃ形チャンネル状をなすレールＲに対し、このレールＲの一端の開口より内部に収容される。装着部４３は、ランナ４２によって軸上端部を回転可能に軸支されかつレールＲの下側の開口を通して垂下された装着部支持用の吊軸４２ａを備え、この吊軸４２ａを介してランナ４２に懸吊され、引戸Ｐのコーナー部の肉厚内に設けられた凹部に嵌入されビスねじ等により固定される。制動部４４は、トリガー部材１０に係止する係止突起部と、付勢ばね、油圧、空気圧又は歯車機構による制動力を発生する制動力発生部と有する。制動力発生部の具体的な構成は、必要に応じた構造に適宜に設計することができる。引戸Ｐを閉じる際に、戸先側の側枠Ｗより手前、残り約５ｃｍの位置でトリガー部材１０に当接しソフトクローズ機構が作動し、引戸Ｐの移動速度を減速し静かにゆっくりと設定位置まで移動するように構成されている。
【００２４】
図３に示すように、本実施形態のソフトクローズ装置１００によれば、トリガー部材１０の位置は、同図（ａ）の位置から同図（ｂ）の位置まで、即ち、長穴Ｌ内において任意の位置に調整することが可能である。例えば、図４（ｂ）に示す戸当たりパッキンＹによる引戸Ｐの停止位置の変動量Ｄに合わせてトリガー部材１０の取り付け位置を移動することができる。
【００２５】
以上説明したように、本実施形態のソフトクローズ装置１００は、２つの貫通穴１３を有すると共に、レールＲに取り付けられた際に下方向に突出する突起部１１を有するトリガー部材１０と、レールＲと上枠との間に配置され、２つのネジ穴２１を有する板ナット部材２０と、トリガー部材１０を固定するための２つの固定ネジ３０と、引戸Ｐの上端に設けられ、レールＲに沿って走行する際にトリガー部材１０に当接して動作し移動速度を低減させ、所定の距離を走行した後に停止するように構成されたソフトクローズ機構部４０とを備えている。
【００２６】
これにより、戸当たりパッキンＹ等による引戸Ｐの停止位置の変動分に合わせてトリガー部材１０の取り付け位置を移動する際に、レールＲに取り付け穴を新たに加工する必要がなく、固定ネジ３０を緩めてトリガー部材１０の位置を移動することが可能であり、簡単な操作で引戸Ｐの停止位置を可変調整することができ、引戸Ｐが戸先側へ移動する際に、戸枠Ｗに強く衝突するのを回避することができる。また、戸枠に直接固定しない構造であるため、木部が木ネジ等で劣化することがない。
【００２７】
このように、トリガー部材１０は、固定ネジ３０が板ナット部材２０に螺入した状態で長穴Ｌに沿ってスライドして引戸Ｐの停止位置を調整しているが、このトリガー部材１０が長穴Ｌにおけるスライド可能な距離ｄを、戸当たりパッキンＹによる引戸Ｐの停止位置の変動量Ｄより大きくすることで、戸当たりパッキンの設置、子供の手挟み防止等様々の目的対応することができる。
【００２８】
また、板ナット部材２０は、長穴Ｌを塞ぐことが可能な長さを有しているため、長穴Ｌを介して上枠が見えないように形成されていることで、見栄えがよく、デザイン性を向上することができる。
【００２９】
なお、上述した実施形態のソフトクローズ装置１００においては、板ナット部材２０は、レールＲ上の長穴Ｌを塞ぐことが可能な長さを有し、長穴Ｌから上枠を見えないように形成されている例を説明したが、本発明はこれに限定されるものではない。
【００３０】
さらに、上述した実施形態のソフトクローズ装置１００においては、トリガー部材１０の貫通穴１３が２つの貫通穴であり、板ナット部材２０のネジ穴２１が２つのネジ穴であり、固定ネジ３０が２つの固定ネジであるが、これらの数は１つ以上であればいくつであっても良い。
【００３１】
本発明の引戸は、上述した実施形態に係るソフトクローズ装置１００が装着された上吊式の引戸Ｐであり、この引戸Ｐの戸先又は戸尻に装着された戸当たりパッキンＹを備えている。この場合、ソフトクローズ装置１００のトリガー部材１０は、戸当たりパッキンＹの戸先又は戸尻からの突出量（停止位置の変動量）Ｄに応じた距離だけ移動してレールＲに固定されている。戸当たりパッキンＹが戸先側の側枠Ｗ又は戸尻側の側枠Ｗに設けられている場合も同様である。
【００３２】
本発明は、上記の実施形態に限定されるものでなく、特許請求の範囲に記載された発明の要旨を逸脱しない範囲内での種々、設計変更した形態を技術的範囲に含むものである。
【符号の説明】
【００３３】
１０  トリガー部材
１１  突起部
１２  取り付け部
１３  貫通穴
１４  誤作動修正部
２０  板ナット部材
２１  ネジ穴
３０  固定ネジ
４０  ソフトクローズ機構部
４１  走行ローラ
４２  ランナ
４２ａ  吊軸
４３  装着部
４４  制動部
１００  ソフトクローズ装置
Ｌ  長穴
Ｐ  引戸
Ｒ  レール
Ｗ  側枠
Ｙ  戸当たりパッキン
【図１】
2017115418.tif 000003
【図２】
2017115418.tif 000004
【図３】
2017115418.tif 000005
【図４】
2017115418.tif 000006